(57)【特許請求の範囲】
【請求項１】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末および前記事業者端末のうち少なくともいずれかに情報を配信するサーバとがネットワーク網を介して接続された情報管理システムであって、
前記サーバは、
各事業者端末に割り当てられた所定の形式のユニークな画像データを格納するコード格納手段と、
各事業者端末を特定する情報を示す所定の形式のユニークな画像データを格納する手段と、
前記移動端末から取得した当該移動端末のユーザ情報を、当該移動端末の電子メールアドレスと関連づけて、各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末に割り当てられた所定の形式の画像データのうち他のユーザ情報と関連づけられていないものと関連づける手段と、
ユーザ情報と関連づけた所定の形式のユニークな画像データと、当該画像データが割り当てられた事業者端末を特定する情報を示す所定の形式のユニークな画像データとを、当該ユーザ情報の送信元である移動端末へ送信する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段とを有し、
前記移動端末は、
当該移動端末のユーザから入力された前記ユーザ情報を前記サーバに送信する手段と、
前記ネットワーク網を介して前記サーバから取得した所定の形式の画像データを格納する手段と、
格納した所定の形式の画像データを表示する表示手段とを有し、
前記事業者端末は、
所定の形式の画像データを読み取る手段と、
読み取った所定の形式の画像データに、自端末を特定する情報を示す画像データが含まれるか否かを判断する手段と、
前記取引情報を生成して前記サーバへ送信する手段とを有することを特徴とする情報管理システム。
【請求項２】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末及び前記事業者端末のうちの少なくともいずれか一つに情報を配信するサーバとがネットワーク網を介して接続された情報管理システムであって、
前記サーバは、
各事業者端末に割り当てられた所定の形式のユニークな画像データを格納するコード格納手段と、
前記移動端末から取得した当該移動端末のユーザ情報を、当該移動端末の電子メールアドレスと関連づけて、各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末に割り当てられた所定の形式の画像データのうち他のユーザ情報と関連づけられていないものと関連づける手段と、
ユーザ情報に関連づけた所定の形式の画像データを、当該ユーザ情報の送信元である移動端末からの要求に応じ当該移動端末へ送信する手段と、
事業者端末からの要求に応じて、当該事業者端末から受信した所定の形式の画像データが、前記コード格納手段に格納されている当該事業者端末に割り当てられた所定の形式の画像データのうち前記ユーザ情報格納手段に格納されたいずれかのユーザ情報と関連づけられたものであるか否かを判断する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段と、
前記事業者端末を特定する情報を示す所定の形式のユニークな画像データを格納する手段と、
ユーザ情報と関連づけた所定の形式の画像データと、当該画像データが割り当てられた事業者端末を特定する情報を示す所定の形式のユニークな画像データとを、当該ユーザ情報の送信元である移動端末へ送信する手段と
を有し、
前記移動端末は、
当該移動端末のユーザから入力されたユーザ情報を前記サーバに送信する手段と、
前記サーバに、当該移動端末のユーザ情報と関連づけられた所定の形式の画像データの送信を要求する手段と、
前記ネットワーク網を介して前記サーバから取得した所定の形式の画像データを表示する表示手段とを有し、
前記事業者端末は、
所定の形式の画像データを読み取る手段と、
読み取った所定の形式の画像データが、ユーザ情報と関連づけられて前記コード格納手段に格納されているか否かを判断するように前記サーバに要求する手段と、
前記取引情報を生成して前記サーバへ送信する手段と、
読み取った所定の形式の画像データに、自端末を特定する情報を示す画像データが含まれるか否かを判断する手段とを有することを特徴とする情報管理システム。
【請求項３】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末及び前記事業者端末のうちの少なくともいずれか一つに情報を配信するサーバとがネットワーク網を介して接続された情報管理システムであって、
前記サーバは、
各事業者端末に割り当てられた所定の形式のユニークな画像データを格納するコード格納手段と、
前記移動端末から取得した当該移動端末のユーザ情報を、当該移動端末の電子メールアドレスと関連づけて、各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末に割り当てられた所定の形式の画像データのうち他のユーザ情報と関連づけられていないものと関連づける手段と、
ユーザ情報と関連づけた所定の形式の画像データを、当該ユーザ情報の送信元である移動端末及び当該画像データが割り当てられた事業者端末へ送信する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段と、
前記事業者端末を特定する情報を示す所定の形式のユニークな画像データを格納する手段と、
ユーザ情報と関連づけた所定の形式の画像データと、当該画像データが割り当てられた事業者端末を特定する情報を示す所定の形式のユニークな画像データとを、当該ユーザ情報の送信元である移動端末へ送信する手段とを有し、
前記移動端末は、
当該移動端末のユーザから入力された前記ユーザ情報を前記サーバに送信する手段と、
前記ネットワーク網を介して前記サーバから取得した所定の形式の画像データを格納する手段と、
格納した所定の形式の画像データを表示する表示手段とを有し、
前記事業者端末は、
前記サーバから取得した所定の形式の画像データを格納する格納手段と、
所定の形式の画像データを読み取る手段と、
読み取った所定の形式の画像データと同一の画像データが前記格納手段に格納されているか否かを判断する手段と、
前記取引情報を生成して前記サーバへ送信する手段と、
読み取った所定の形式の画像データに、自端末を特定する情報を示す画像データが含まれるか否かを判断する手段とを有することを特徴とする情報管理システム。
【請求項４】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末および前記事業者端末のうち少なくともいずれかに情報を配信するサーバとがネットワーク網を介して接続された情報管理システムであって、
前記サーバは、
少なくとも一つの事業者端末からなる事業者端末グループに割り当てられた所定の形式のユニークな画像データを格納するコード格納手段と、
各事業者端末グループを特定する情報を示す所定の形式のユニークな画像データを格納する手段と、
前記移動端末から取得した当該移動端末のユーザ情報を、当該移動端末の電子メールアドレスと関連づけて、各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末グループに割り当てられた所定の形式の画像データのうち他のユーザ情報と関連づけられていないものと関連づける手段と、
ユーザ情報と関連づけた所定の形式のユニークな画像データと、当該画像データが割り当てられた事業者端末グループを特定する情報を示す所定の形式のユニークな画像データとを、当該ユーザ情報の送信元である移動端末へ送信する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段とを有し、
前記移動端末は、
当該移動端末のユーザから入力された前記ユーザ情報を前記サーバに送信する手段と、
前記ネットワーク網を介して前記サーバから取得した所定の形式の画像データを格納する手段と、
格納した所定の形式の画像データを表示する表示手段とを有し、
前記事業者端末は、
所定の形式の画像データを読み取る手段と、
読み取った所定の形式の画像データに、自端末が属する事業者端末グループを特定する情報を示す画像データが含まれるか否かを判断する手段と、
前記取引情報を生成して前記サーバへ送信する手段とを有することを特徴とする情報管理システム。
【請求項５】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末及び前記事業者端末のうちの少なくともいずれか一つに情報を配信するサーバとがネットワーク網を介して接続された情報管理システムであって、
前記サーバは、
少なくとも一つの事業者端末からなる事業者端末グループに割り当てられた所定の形式のユニークな画像データを各グループごとに格納するコード格納手段と、
前記移動端末から取得した当該移動端末のユーザ情報を、当該移動端末の電子メールアドレスと関連づけて各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末グループに割り当てられた所定の形式の画像データのうち他のユーザ情報と関連づけられていないものと関連づける手段と、
ユーザ情報に関連づけた所定の形式の画像データを、当該ユーザ情報の送信元である移動端末からの要求に応じ当該移動端末へ送信する手段と、
事業者端末からの要求に応じて、当該事業者端末から受信した所定の形式の画像データが、前記コード格納手段に格納されている当該事業者端末が属する事業者端末グループに割り当てられた所定の形式の画像データのうち前記ユーザ情報格納手段に格納されたいずれかのユーザ情報と関連づけられたものであるか否かを判断する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段と、
各事業者端末グループを特定する情報を示す所定の形式のユニークな画像データを格納する手段と、
ユーザ情報と関連づけた所定の形式のユニークな画像データと、当該画像データが割り当てられた事業者端末グループを特定する情報を特定する情報を示す所定の形式のユニークな画像データとを、当該ユーザ情報の送信元であるユーザ端末へ送信する手段とを有し、
前記移動端末は、
当該移動端末のユーザから入力されたユーザ情報を前記サーバに送信する手段と、
前記サーバに、当該移動端末のユーザ情報と関連づけられた所定の形式の画像データの送信を要求する手段と、
前記ネットワーク網を介して前記サーバから取得した所定の形式の画像データを表示する表示手段とを有し、
前記事業者端末は、
所定の形式の画像データを読み取る手段と、
読み取った所定の形式の画像データが、ユーザ情報と関連づけられて前記コード格納手段に格納されているか否かを判断するように前記サーバに要求する手段と、
前記取引情報を生成して前記サーバへ送信する手段と、
読み取った所定の形式の画像データに、自端末が属する事業者端末グループを特定する情報を示す画像データが含まれるか否かを判断する手段とを有することを特徴とする情報管理システム。
【請求項６】
ブラウザ機能及び電子メールを送受信する機能を備えた少なくとも一つの移動端末と、
登録された会員へ所定のサービスを提供する事業者ごとに設置された、少なくとも一つの事業者端末と、
前記移動端末及び前記事業者端末から取得したデータを蓄積し、蓄積したデータに基づいて、前記移動端末及び前記事業者端末のうちの少なくともいずれか一つに情報を配信するサーバとがネットワーク網を介して接続された情報管理システムであって、
前記サーバは、
少なくとも一つの事業者端末からなる事業者端末グループに割り当てられた所定の形式のユニークな画像データを各グループごとに格納するコード格納手段と、
前記移動端末から取得した当該移動端末のユーザ情報を、当該移動端末の電子メールアドレスと関連づけて、各移動端末ごとに格納するユーザ情報格納手段と、
移動端末からの要求に応じて、前記ユーザ情報格納手段に格納された当該移動端末のユーザ情報を、前記コード格納手段に格納されている所定の事業者端末グループに割り当てられた所定の形式の画像データのうち他のユーザ情報と関連づけられていないものと関連づける手段と、
ユーザ情報と関連づけた所定の形式の画像データを、当該ユーザ情報の送信元である移動端末及び当該画像データが割り当てられた事業者端末グループに属する各事業者端末へ送信する手段と、
事業者が会員に対して提供したサービスの内容を示す取引情報を事業者端末から取得して利用情報として格納する利用情報格納手段と、
前記ユーザ情報及び前記利用情報を基に、所定の条件に適合するデータを生成する手段と、
各事業者端末グループを特定する情報を示す所定の形式のユニークな画像データを格納する手段と、
ユーザ情報と関連づけた所定の形式のユニークな画像データと、当該画像データが割り当てられた事業者端末グループを特定する情報を特定する情報を示す所定の形式のユニークな画像データとを、当該ユーザ情報の送信元であるユーザ端末へ送信する手段とを有し、
前記移動端末は、
当該移動端末のユーザから入力された前記ユーザ情報を前記サーバに送信する手段と、
前記ネットワーク網を介して前記サーバから取得した所定の形式の画像データを格納する手段と、
格納した所定の形式の画像データを表示する表示手段とを有し、
前記事業者端末は、
前記サーバから取得した所定の形式の画像データを格納する格納手段と、
所定の形式の画像データを読み取る手段と、
読み取った所定の形式の画像データと同一の画像データが前記格納手段に格納されているか否かを判断する手段と、
前記取引情報を生成して前記サーバへ送信する手段と、
読み取った所定の形式の画像データに、自端末が属する事業者端末グループを特定する情報を示す画像データが含まれるか否かを判断する手段とを有することを特徴とする情報管理システム。
【請求項７】
前記事業者端末は、当該事業者端末の位置を特定して位置情報を生成する位置情報生成手段と、会員に対してサービスを提供した時の位置情報を前記取引情報に含めて前記サーバに送信する手段とをさらに有することを特徴とする請求項１から６のいずれか１項記載の情報管理システム。
【請求項８】
前記移動端末は、当該移動端末の位置を特定して位置情報を生成する位置情報生成手段と、前記位置情報を基に所定の形式の画像データを生成する手段と、当該画像データを前記サーバから取得した画像データとともに前記表示手段の所定の位置に表示する手段とをさらに有し、
前記事業者端末は、前記所定の位置に表示された画像データを読み取って取得した位置情報を、前記取引情報に含めて前記サーバに送信することを特徴とする請求項１から６のいずれか１項記載の情報管理システム。
【請求項９】
前記位置情報生成手段は、ＧＰＳ信号を受信して位置情報を生成する手段であることを特徴とする請求項７又は８記載の情報管理システム。
【請求項１０】
前記ユーザ情報は、移動端末のユーザが利用可能な金額を示す残高情報を含み、
前記事業者端末は、ユーザに提供するサービスの代金を示す取引金額情報を前記サーバに送信する手段をさらに有し、
前記サーバは、前記事業者端末から取得した取引金額情報と、ユーザ情報格納手段に格納された前記事業者からサービスの提供を受ける移動端末のユーザのユーザ情報とに基づいて電子決済を行う手段と、
前記電子決済の結果を事業者端末及び移動端末の少なくともいずれかに通知する手段と、
前記電子決済の結果に応じて、前記残高情報を更新する手段とをさらに有することを特徴とする請求項１から９のいずれか１項記載の情報管理システム。
【請求項１１】
前記所定の形式の画像データは、二次元コードであることを特徴とする請求項１から１０のいずれか１項記載の情報管理システム。
【請求項１２】
前記サーバは、事業者端末から取得した取引情報に基づいた付加情報を生成し、利用情報に付け加える手段と、
前記ユーザ情報格納手段に格納されているユーザ情報を、前記付加情報に基づいて更新する手段とをさらに有することを特徴とする請求項１から１１のいずれか１項記載の情報管理システム。
【請求項１３】
前記サーバは、ユーザ情報格納手段に格納されているユーザ情報を、少なくとも一つの他のユーザ情報と関連づける手段をさらに有することを特徴とする請求項１から１２のいずれか１項記載の情報管理システム。
【発明の詳細な説明】
【０００１】
【発明の属する技術分野】
本発明は、特定多数の利用者の情報を蓄積・管理する情報管理システムに関し、特に、最新の情報をサーバに蓄積し、これを用いて利用者に情報を配信できる情報管理システムに関する。
【０００２】
【従来の技術】
小売店舗などの事業者が特定の顧客（利用者）に対して会員カードを発行し、顧客が利用した金額に応じてポイントを蓄積し、ポイントに応じて景品や割引券などを会員に提供するサービス（＝ポイントカードサービス）が行われている。
【０００３】
この場合、利用者は店舗において個人情報（住所、氏名、年齢、電話番号等）を申し込み用紙に記入することによって会員カードの発行を申請し、事業者は入会を希望する利用者に対し、例えば、紙やプラスチック製の会員カードを付与することでサービスを実現する環境が整えられる。
【０００４】
ポイントカードサービスによって、会員側はポイントの蓄積による様々なサービスを受けることができる。また、事業者側は、会員の購買意欲を促進させることができるとともに、会員がポイントカードの発行を申請する際に記入した個人情報を蓄積し、蓄積した個人情報に基づいて、ダイレクトメールなどによって情報（例えば、バーゲンなどのイベント情報）を配信することができる。
【０００５】
【発明が解決しようとする課題】
しかし、従来のポイントカードサービスにおいて、事業者が利用できる情報は、ポイントカードの発行を申請する際に会員が記入した個人情報のみであり、ポイントカードを発行した後の利用状況は情報として管理していない。例えば、事業者は、定期的に店舗に訪れる固定客は誰かといった情報や、利用金額が多い上客は誰かといった情報などを用いて顧客管理を行うことはできない。
よって、会員カード発行後の所定の条件（例えば、利用金額が所定額以上、来店回数が所定回数以上など）を満たす会員のみに情報を配信することはできなかった。
【０００６】
また、従来は、各事業者が独立してポイントカードサービスを実施し、個別のポイントカードを発行していた。
よって、会員は事業者ごとに別々のカードを所持しなければならないため、ある事業者の店舗でポイントカードを利用する際には、大量のカードの中からその事業者用のポイントカードを探し出さなければならない。
また、事業者側としても、各事業者がそれぞれ個別に個人情報を管理していたため、会員の嗜好を正確に把握して情報を配信することはできなかった。
【０００７】
このように、従来のポイントカードサービスにおいては、会員登録後の会員の利用状況を示す情報を一括して管理することや、その情報を用いて会員へ情報を配信することなどはできなかった。
【０００８】
本発明かかる問題に鑑みてなされたものであり、会員登録後の各会員の利用状況などを一括して管理すること、及びその情報に基づいて情報の配信を行うことのできる情報管理システムを提供することを目的とする。
【０００９】
【課題を解決するための手段】
上記目的を達成するため、本発明は、第１の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末および事業者端末のうち少なくともいずれかに情報を配信するサーバとがネットワーク網を介して接続された情報管理システムであって、サーバは、各事業者端末に割り当てられた所定の形式のユニークな画像データを格納するコード格納手段と、各事業者端末を特定する情報を示す所定の形式のユニークな画像データを格納する手段と、移動端末から取得した当該移動端末のユーザ情報を、当該移動端末の電子メールアドレスと関連づけて、各移動端末ごとに格納するユーザ情報格納手段と、移動端末からの要求に応じて、ユーザ情報格納手段に格納された当該移動端末のユーザ情報を、コード格納手段に格納されている所定の事業者端末に割り当てられた所定の形式の画像データのうち他のユーザ情報と関連づけられていないものと関連づける手段と、ユーザ情報と関連づけた所定の形式のユニークな画像データと、当該画像データが割り当てられた事業者端末を特定する情報を示す所定の形式のユニークな画像データとを、当該ユーザ情報の送信元である移動端末へ送信する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段とを有し、移動端末は、当該移動端末のユーザから入力されたユーザ情報をサーバに送信する手段と、ネットワーク網を介してサーバから取得した所定の形式の画像データを格納する手段と、格納した所定の形式の画像データを表示する表示手段とを有し、事業者端末は、所定の形式の画像データを読み取る手段と、読み取った所定の形式の画像データに、自端末を特定する情報を示す画像データが含まれるか否かを判断する手段と、取引情報を生成してサーバへ送信する手段とを有することを特徴とする情報管理システムを提供するものである。
【００１０】
上記本発明の第１の態様の構成において、下記の条件Ａ及びＢの少なくともいずれかに適合するようにしてもよい。
条件Ａ：下記条件（ａ−１）及び（ａ−２）を満たす。
（ａ−１）サーバは、ユーザ情報に関連づけた所定の形式の画像データを、当該画像データの送信元である移動端末からの要求に応じ当該移動端末へ送信する手段をさらに有する。
（ａ−２）移動端末は、サーバに当該移動端末のユーザ情報と関連づけられた所定の形式の画像データの送信を要求する手段と、サーバから取得した所定の形式の画像データを表示する手段とをさらに有する。
条件Ｂ：下記条件（ｂ−１）及び（ｂ−２）を満たす。
（ｂ−１）サーバは、ユーザ情報と関連づけた所定の形式の画像データを当該画像データが関連づけられた事業者端末へ送信する手段をさらに有する。
（ｂ−２）事業者端末は、サーバから取得した所定の形式の画像データを格納する格納手段と、読み取った所定の形式の画像データと同一の画像データが格納手段に格納されているか否かを判断する手段とをさらに有する。
【００１１】
また、上記目的を達成するため、本発明は、第２の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末及び事業者端末のうちの少なくともいずれか一つに情報を配信するサーバとがネットワーク網を介して接続された情報管理システムであって、サーバは、各事業者端末に割り当てられた所定の形式のユニークな画像データを格納するコード格納手段と、移動端末から取得した当該移動端末のユーザ情報を、当該移動端末の電子メールアドレスと関連づけて、各移動端末ごとに格納するユーザ情報格納手段と、移動端末からの要求に応じて、ユーザ情報格納手段に格納された当該移動端末のユーザ情報を、コード格納手段に格納されている所定の事業者端末に割り当てられた所定の形式の画像データのうち他のユーザ情報と関連づけられていないものと関連づける手段と、ユーザ情報に関連づけた所定の形式の画像データを、当該ユーザ情報の送信元である移動端末からの要求に応じ当該移動端末へ送信する手段と、事業者端末からの要求に応じて、当該事業者端末から受信した所定の形式の画像データが、コード格納手段に格納されている当該事業者端末に割り当てられた所定の形式の画像データのうちユーザ情報格納手段に格納されたいずれかのユーザ情報と関連づけられたものであるか否かを判断する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段と、事業者端末を特定する情報を示す所定の形式のユニークな画像データを格納する手段と、ユーザ情報と関連づけた所定の形式の画像データと、当該画像データが割り当てられた事業者端末を特定する情報を示す所定の形式のユニークな画像データとを、当該ユーザ情報の送信元である移動端末へ送信する手段とを有し、移動端末は、当該移動端末のユーザから入力されたユーザ情報をサーバに送信する手段と、サーバに、当該移動端末のユーザ情報と関連づけられた所定の形式の画像データの送信を要求する手段と、ネットワーク網を介してサーバから取得した所定の形式の画像データを表示する表示手段とを有し、事業者端末は、所定の形式の画像データを読み取る手段と、読み取った所定の形式の画像データが、ユーザ情報と関連づけられてコード格納手段に格納されているか否かを判断するようにサーバに要求する手段と、取引情報を生成してサーバへ送信する手段と読み取った所定の形式の画像データに、自端末を特定する情報を示す画像データが含まれるか否かを判断する手段とを有することを特徴とする情報管理システムを提供するものである。
【００１２】
上記本発明の第２の態様の構成において、下記の条件Ｄに適合するようにしても良い。
条件Ｄ：下記条件（ｄ−１）及び（ｄ−２）を満たす。
（ｄ−１）サーバは、ユーザと関連づけた所定の形式の画像データを当該画像データが関連づけられた事業者端末へ送信する手段をさらに有する。
（ｄ−２）事業者端末は、サーバから取得した所定の画像データを格納する格納手段と、読み取った所定の形式の画像データと同一の画像データが格納手段に格納されているか否かを判断する手段とをさらに有する。
【００１３】
また、上記目的を達成するため、本発明は、第３の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末及び事業者端末のうちの少なくともいずれか一つに情報を配信するサーバとがネットワーク網を介して接続された情報管理システムであって、サーバは、各事業者端末に割り当てられた所定の形式のユニークな画像データを格納するコード格納手段と、移動端末から取得した当該移動端末のユーザ情報を、当該移動端末の電子メールアドレスと関連づけて、各移動端末ごとに格納するユーザ情報格納手段と、移動端末からの要求に応じて、ユーザ情報格納手段に格納された当該移動端末のユーザ情報を、コード格納手段に格納されている所定の事業者端末に割り当てられた所定の形式の画像データのうち他のユーザ情報と関連づけられていないものと関連づける手段と、ユーザ情報と関連づけた所定の形式の画像データを、当該ユーザ情報の送信元である移動端末及び当該画像データが割り当てられた事業者端末へ送信する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段と、事業者端末を特定する情報を示す所定の形式のユニークな画像データを格納する手段と、ユーザ情報と関連づけた所定の形式の画像データと、当該画像データが割り当てられた事業者端末を特定する情報を示す所定の形式のユニークな画像データとを、当該ユーザ情報の送信元である移動端末へ送信する手段とを有し、移動端末は、当該移動端末のユーザから入力されたユーザ情報をサーバに送信する手段と、ネットワーク網を介してサーバから取得した所定の形式の画像データを格納する手段と、格納した所定の形式の画像データを表示する表示手段とを有し、事業者端末は、サーバから取得した所定の形式の画像データを格納する格納手段と、所定の形式の画像データを読み取る手段と、読み取った所定の形式の画像データと同一の画像データが格納手段に格納されているか否かを判断する手段と、取引情報を生成してサーバへ送信する手段と読み取った所定の形式の画像データに、自端末を特定する情報を示す画像データが含まれるか否かを判断する手段とを有することを特徴とする情報管理システムを提供するものである。
【００１４】
また、上記目的を達成するため、本発明は、第４の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末および事業者端末のうち少なくともいずれかに情報を配信するサーバとがネットワーク網を介して接続された情報管理システムであって、サーバは、少なくとも一つの事業者端末からなる事業者端末グループに割り当てられた所定の形式のユニークな画像データを格納するコード格納手段と、各事業者端末グループを特定する情報を示す所定の形式のユニークな画像データを格納する手段と、移動端末から取得した当該移動端末のユーザ情報を、当該移動端末の電子メールアドレスと関連づけて、各移動端末ごとに格納するユーザ情報格納手段と、移動端末からの要求に応じて、ユーザ情報格納手段に格納された当該移動端末のユーザ情報を、コード格納手段に格納されている所定の事業者端末グループに割り当てられた所定の形式の画像データのうち他のユーザ情報と関連づけられていないものと関連づける手段と、ユーザ情報と関連づけた所定の形式のユニークな画像データと、当該画像データが割り当てられた事業者端末グループを特定する情報を示す所定の形式のユニークな画像データとを、当該ユーザ情報の送信元である移動端末へ送信する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段とを有し、移動端末は、当該移動端末のユーザから入力されたユーザ情報をサーバに送信する手段と、ネットワーク網を介してサーバから取得した所定の形式の画像データを格納する手段と、格納した所定の形式の画像データを表示する表示手段とを有し、事業者端末は、所定の形式の画像データを読み取る手段と、読み取った所定の形式の画像データに、自端末が属する事業者端末グループを特定する情報を示す画像データが含まれるか否かを判断する手段と、取引情報を生成してサーバへ送信する手段とを有することを特徴とする情報管理システムを提供するものである。
【００１５】
上記本発明の第４の態様の構成において、下記の条件Ｇ及びＨの少なくともいずれかに適合するようにしてもよい。
条件Ｇ：下記条件（ｇ−１）及び（ｇ−２）を満たす。
（ｇ−１）サーバは、ユーザ情報に関連づけた所定の形式の画像データを、当該画像データの送信元である移動端末からの要求に応じ当該移動端末へ送信する手段をさらに有する。
（ｇ−２）移動端末は、サーバに当該移動端末のユーザ情報と関連づけられた所定の形式の画像データの送信を要求する手段と、サーバから取得した所定の形式の画像データを表示する手段とをさらに有する。
条件Ｈ：下記条件（ｈ−１）及び（ｈ−２）を満たす。
（ｈ−１）サーバは、ユーザ情報と関連づけた所定の形式の画像データを、当該ユーザ情報の送信元である移動端末及び当該画像データが割り当てられた事業者端末グループに属する各事業者端末へ送信する手段をさらに有する。
（ｈ−２）事業者端末は、サーバから取得した所定の形式の画像データを格納する格納手段と、読み取った所定の形式の画像データと同一の画像データが格納手段に格納されているか否かを判断する手段とをさらに有する。
【００１６】
また、上記目的を達成するため、本発明は、第５の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末及び事業者端末のうちの少なくともいずれか一つに情報を配信するサーバとがネットワーク網を介して接続された情報管理システムであって、サーバは、少なくとも一つの事業者端末からなる事業者端末グループに割り当てられた所定の形式のユニークな画像データを各グループごとに格納するコード格納手段と、移動端末から取得した当該移動端末のユーザ情報を、当該移動端末の電子メールアドレスと関連づけて各移動端末ごとに格納するユーザ情報格納手段と、移動端末からの要求に応じて、ユーザ情報格納手段に格納された当該移動端末のユーザ情報を、コード格納手段に格納されている所定の事業者端末グループに割り当てられた所定の形式の画像データのうち他のユーザ情報と関連づけられていないものと関連づける手段と、ユーザ情報に関連づけた所定の形式の画像データを、当該ユーザ情報の送信元である移動端末からの要求に応じ当該移動端末へ送信する手段と、事業者端末からの要求に応じて、当該事業者端末から受信した所定の形式の画像データが、コード格納手段に格納されている当該事業者端末が属する事業者端末グループに割り当てられた所定の形式の画像データのうちユーザ情報格納手段に格納されたいずれかのユーザ情報と関連づけられたものであるか否かを判断する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段と、各事業者端末グループを特定する情報を示す所定の形式のユニークな画像データを格納する手段と、ユーザ情報と関連づけた所定の形式のユニークな画像データと、当該画像データが割り当てられた事業者端末グループを特定する情報を特定する情報を示す所定の形式のユニークな画像データとを、当該ユーザ情報の送信元であるユーザ端末へ送信する手段とを有し、移動端末は、当該移動端末のユーザから入力されたユーザ情報をサーバに送信する手段と、サーバに、当該移動端末のユーザ情報と関連づけられた所定の形式の画像データの送信を要求する手段と、ネットワーク網を介してサーバから取得した所定の形式の画像データを表示する表示手段とを有し、事業者端末は、所定の形式の画像データを読み取る手段と、読み取った所定の形式の画像データが、ユーザ情報と関連づけられてコード格納手段に格納されているか否かを判断するようにサーバに要求する手段と、取引情報を生成してサーバへ送信する手段と読み取った所定の形式の画像データに、自端末が属する事業者端末グループを特定する情報を示す画像データが含まれるか否かを判断する手段とを有することを特徴とする情報管理システムを提供するものである。
【００１７】
上記本発明の第５の態様の構成において、下記の条件Ｊに適合するようにしてもよい。
条件Ｊ：下記条件（ｊ−１）及び（ｊ−２）を満たす。
（ｊ−１）サーバは、ユーザ情報と関連づけた所定の形式の画像データを、当該ユーザ情報の送信元である移動端末及び当該画像データが割り当てられた事業者端末グループに属する各事業者端末へ送信する手段をさらに有する。
（ｊ−２）事業者端末は、サーバから取得した所定の形式の画像データを格納する格納手段と、読み取った所定の形式の画像データと同一の画像データが格納手段に格納されているか否かを判断する手段とをさらに有する。
【００１８】
また、上記目的を達成するため、本発明は、第６の態様として、ブラウザ機能及び電子メールを送受信する機能を備えた少なくとも一つの移動端末と、登録された会員へ所定のサービスを提供する事業者ごとに設置された、少なくとも一つの事業者端末と、移動端末及び事業者端末から取得したデータを蓄積し、蓄積したデータに基づいて、移動端末及び事業者端末のうちの少なくともいずれか一つに情報を配信するサーバとがネットワーク網を介して接続された情報管理システムであって、サーバは、少なくとも一つの事業者端末からなる事業者端末グループに割り当てられた所定の形式のユニークな画像データを各グループごとに格納するコード格納手段と、移動端末から取得した当該移動端末のユーザ情報を、当該移動端末の電子メールアドレスと関連づけて、各移動端末ごとに格納するユーザ情報格納手段と、移動端末からの要求に応じて、ユーザ情報格納手段に格納された当該移動端末のユーザ情報を、コード格納手段に格納されている所定の事業者端末グループに割り当てられた所定の形式の画像データのうち他のユーザ情報と関連づけられていないものと関連づける手段と、ユーザ情報と関連づけた所定の形式の画像データを、当該ユーザ情報の送信元である移動端末及び当該画像データが割り当てられた事業者端末グループに属する各事業者端末へ送信する手段と、事業者が会員に対して提供したサービスの内容を示す取引情報を事業者端末から取得して利用情報として格納する利用情報格納手段と、ユーザ情報及び利用情報を基に、所定の条件に適合するデータを生成する手段と各事業者端末グループを特定する情報を示す所定の形式のユニークな画像データを格納する手段と、ユーザ情報と関連づけた所定の形式のユニークな画像データと、当該画像データが割り当てられた事業者端末グループを特定する情報を特定する情報を示す所定の形式のユニークな画像データとを、当該ユーザ情報の送信元であるユーザ端末へ送信する手段とを有し、移動端末は、当該移動端末のユーザから入力されたユーザ情報をサーバに送信する手段と、ネットワーク網を介してサーバから取得した所定の形式の画像データを格納する手段と、格納した所定の形式の画像データを表示する表示手段とを有し、事業者端末は、サーバから取得した所定の形式の画像データを格納する格納手段と、所定の形式の画像データを読み取る手段と、読み取った所定の形式の画像データと同一の画像データが格納手段に格納されているか否かを判断する手段と、取引情報を生成してサーバへ送信する手段と、読み取った所定の形式の画像データに、自端末が属する事業者端末グループを特定する情報を示す画像データが含まれるか否かを判断する手段とを有することを特徴とする情報管理システムを提供するものである。
【００１９】
上記本発明の第１から第６のいずれかの態様において、事業者端末は、当該事業者端末の位置を特定して位置情報を生成する位置情報生成手段と、会員に対してサービスを提供した時の位置情報を取引情報に含めてサーバに送信する手段とをさらに有することが好ましい。
または、上記本発明の第１から第６のいずれかの態様において、移動端末は、当該移動端末の位置を特定して位置情報を生成する位置情報生成手段と、位置情報を基に所定の形式の画像データを生成する手段と、当該画像データをサーバから取得した画像データとともに表示手段の所定の位置に表示する手段とを有し、事業者端末は、所定の位置に表示された画像データを読み取って取得した位置情報を、取引情報に含めてサーバに送信することが好ましい。
これらの構成において、位置情報生成手段は、ＧＰＳ信号を受信して位置情報を生成する手段であることが好ましい。
【００２０】
本発明のいずれの構成においても、ユーザ情報は、移動端末のユーザが利用可能な金額を示す残高情報を含み、事業者端末は、ユーザに提供するサービスの代金を示す取引金額情報をサーバに送信する手段をさらに有し、サーバは、事業者端末から取得した取引金額情報と、ユーザ情報格納手段に格納された事業者からサービスの提供を受ける移動端末のユーザのユーザ情報とに基づいて電子決済を行う手段と、電子決済の結果を事業者端末及び移動端末の少なくともいずれかに通知する手段と、電子決済の結果に応じて、残高情報を更新する手段とをさらに有することが好ましい。また、所定の形式の画像データは、二次元コードであることことが好ましい。また、サーバは、事業者端末から取得した取引情報に基づいた付加情報を生成して利用情報に付け加える手段と、ユーザ情報格納手段に格納されているユーザ情報を、付加情報に基づいて更新する手段とをさらに有することが好ましい。また、サーバは、ユーザ情報格納手段に格納されているユーザ情報を、少なくとも一つの他のユーザ情報と関連づける手段をさらに有することが好ましい。
【００２１】
【発明の実施の形態】
〔第１の実施形態〕
本発明を好適に実施した第１の実施形態について説明する。図１に、本実施形態による情報管理システムを示す。この情報管理システムは、センタサーバ１００、店舗端末２００（２００ａ〜２００ｎ）、携帯電話端末３００（３００ａ〜３００ｎ）及びコンテンツサーバ４００を有する。なお、この情報管理システムは複数の店舗端末２００ａ〜２００ｎ及び複数の携帯電話端末３００ａ〜３００ｎを有するが、説明の簡略化のため以下の説明は、店舗端末２００ａ及び携帯電話端末３００ａを用いて行う。
【００２２】
センタサーバ１００は、例えば、店舗端末２００ａのユーザ（以下、事業者という）や携帯電話端末３００ａのユーザ（以下、入会希望者又は会員という）へ情報を配信するＡＳＰ（Application   Service   Provider）業者やコンテンツプロバイダ（ＣＰ）などが設置・管理を行うサーバである。（以下、センタサーバ１００の設置・管理者はＡＳＰ業者とする。）
センタサーバ１００は、制御部１０１、通信部１０２、２Ｄコード格納部１０３、個人情報データベース（ＤＢ）１０４及び利用履歴情報ＤＢ１０５を有する。制御部１０１は、センタサーバ１００の各部の動作を制御する。通信部１０２は、ネットワーク網を介して情報を送受信するためのインタフェース（Ｉ／Ｆ）である。２Ｄコード格納部１０３は、各事業者の店舗端末に割り当てられたユニークな二次元コード群を各事業者ごとに格納している。個人情報ＤＢ１０４は、会員や顧客の個人情報を蓄積するデータベースである。利用履歴情報ＤＢ１０５は、携帯電話端末３００ａ〜３００ｎが店舗端末２００ａ〜２００ｎを利用した履歴の情報を蓄積する。
【００２３】
店舗端末２００ａは、事業者が会員との商取引を行うための端末である。
店舗端末２００ａは、制御部２０１、入力部２０２、通信部２０３、２Ｄコード読み取り部２０４及び表示部２０５を有する。制御部２０１は、店舗端末２００ａの各部の動作を制御する。入力部２０２は、事業者が情報を入力するためのユーザインタフェース（ＵＩ）であり、例えば、キーボード、テンキー、タッチパネル、ポインティングデバイスなどを適用できる。通信部２０３は、ネットワーク網を介して情報を送受信するためのＩ／Ｆである。２Ｄコード読み取り部２０４は、二次元コードを読み取って、情報を取得する機能部である。表示部２０５は、事業者や会員に提示するメッセージを表示する機能部である。
【００２４】
携帯電話端末３００ａは、ブラウザ機能及び電子メールを送受信する機能を備えた携帯電話端末であり、制御部３０１、通信部３０２、操作部３０３、表示部３０４及び２Ｄコード格納部３０５を有する。制御部３０１は、携帯電話端末３００ａの各部の動作を制御する。通信部３０２は、無線通信網を介して基地局と通信を行い、情報を送受信する。操作部３０３は、ユーザが情報を入力したり、携帯電話端末３００ａを操作したりするためのＩ／Ｆであり、例えば、キーボード、テンキー、タッチパネル、ポインティングデバイスなどを適用できる。表示部３０４は、文字や画像を表示する機能部であり、例えば、液晶パネルなどを適用できる。２Ｄコード格納部３０５は、二次元コードのデータを格納する手段であり、例えば、ＮＶＲＡＭなどを適用できる。
コンテンツサーバ４００は、携帯電話端末３００や店舗端末２００に配信する情報（コンテンツ）が格納されたサーバである。
【００２５】
図２に、本実施形態による情報管理システムの動作シーケンスを示す。
入会希望者は、事業者用の会員登録申し込みフォームが設けられたホームページへアクセスし、操作部３０３を用いてユーザ情報（氏名、年齢、性別など）を入力する。なお、このホームページのデータは、センタサーバ１００内の不図示の格納手段に格納するようにしても良いし、不図示のｗｗｗサーバに格納するようにしても良い。ユーザ情報の入力を終えた後、入会希望者が操作部３０３を用いて上記ホームページ上で送信を指示すると、制御部３０１は、センタサーバ１００を宛先として、ユーザ情報が添付された電子メールを通信部３０２を介して送信する（ステップＳ１０１）。
【００２６】
会員登録申し込みフォームを用いて携帯電話端末３００ａから送信された電子メールをセンタサーバ１００が受信すると、制御部１０１は、ユーザ情報や会員登録申し込みメールの送信元のメールアドレスなどを個人情報として個人情報ＤＢ１０４へ格納する。この際、制御部１０１は、後述する関連ユーザ名などの情報をユーザ情報とともに個人情報ＤＢ１０４へ格納する。
さらに制御部１０１は、２Ｄコード格納部１０３に格納されている店舗端末２００ａ用の二次元コードのうち未使用のものを一つ選択し、入会希望者の個人情報と関連づけて会員登録を行う（ステップＳ１０２）。なお、個人情報と関連づけられた二次元コードは、以降使用済みとして扱われる。その後、制御部１０１は、携帯電話端末３００ａのユーザの個人情報に関連づけた二次元コード（会員コード用二次元コード）を添付した電子メールを、通信部３０２を介して携帯電話端末３００ａへ返信する（ステップＳ１０３）。
【００２７】
携帯電話端末３００ａがセンタサーバ１００からの返信メールを受信すると、制御部３０１は、受信したメールに添付されてきた二次元コードを２Ｄコード格納部３０５へ格納する（ステップＳ１０４）。二次元コードを格納する方法としては、メールボックス機能を用いて電子メールごと格納するようにしてもよいし、画面メモ機能やアドレス帳機能などを利用して二次元コードを格納するようにしてもよい。
ステップＳ１０１からＳ１０４の動作によって、入会希望者の会員登録が完了する。
【００２８】
会員は、事業者の店舗において代金を支払う際に、操作部３０３を用いて２Ｄコード格納部３０５に格納されている店舗端末２００ａ用の二次元コードを読み出し、表示部３０４に表示させる（ステップＳ１０５）。事業者は、２Ｄコード読み取り部２０４を用いて、表示部３０４に表示された二次元コードを店舗端末２００ａに読み取らせる（ステップＳ１０６）。店舗端末２００ａが二次元コードを読み取ると、制御部２０１は、取得した二次元コードの情報（会員コード）を、通信部２０３を用いてセンタサーバ１００へ送信する（ステップＳ１０７）。
【００２９】
センタサーバ１００が店舗端末２００ａから二次元コードを受信すると、制御部１０１は、２Ｄコード格納部１０３に格納されている事業者の使用済み二次元コードの中に、店舗端末２００ａから受信した情報（会員コード）によって示される二次元コードと一致するものがあるか否かを判断する（ステップＳ１０８）。
一致するものがない場合は（ステップＳ１０８／Ｎｏ）、情報管理システムは処理を終了する。この時、制御部１０１が店舗端末２００ａに対してエラーを通知するようにしてもよい。
一方、一致するものがある場合（ステップＳ１０８／Ｙｅｓ）、制御部１０１は、表示部３０４に表示された二次元コードが使用済みであることを店舗端末２００ａへ通知する（ステップＳ１０９）。これによって、携帯電話端末３００ａのユーザが会員として登録されていることがセンタサーバ１００から店舗端末２００ａへ通知される。
【００３０】
会員の認証が完了すると、店舗端末２００ａは、表示部２０５にメッセージを表示し、事業者（又は、会員）に対して取引条件（金額や商品名など）の入力を促す。制御部２０１は、入力部２０２を介して事業者から入力された取引条件情報を通信部２０３を用いてセンタサーバ１００へ送信する（ステップＳ１１０）。
【００３１】
センタサーバ１００が、店舗端末２００ａから取引条件情報を受信すると、制御部１０１は取引条件情報を受信した時間や取引条件情報の送信元を特定する情報、取引金額に応じたポイント情報など生成する。制御部１０１は、これらの情報及び取引条件情報を個人情報ＤＢ１０４に格納されている会員の個人情報と関連付けて利用情報として利用履歴情報ＤＢ１０５へ格納し、さらに個人情報ＤＢ１０４に格納されている個人情報を更新する（ステップＳ１１１）。
このようにして、会員が取引を行うたびに、センタサーバ１００は、利用情報を利用履歴情報ＤＢ１０５へ蓄積する。
【００３２】
制御部１０１は、個人情報ＤＢ１０４及び利用履歴情報ＤＢ１０５に格納されている情報を用いて、会員からの要求（ステップＳ１１２）や事業者からの要求（ステップＳ１１４）に応じたｐｕｌｌ型（ステップＳ１１３、Ｓ１１５）、あるいは、携帯電話端末３００ａへｐｕｓｈ型で情報を配信できる（ステップＳ１１６）。
このように個人情報ＤＢ１０４及び利用履歴情報ＤＢ１０５に格納されている情報を用いて情報を配信する方法については、以下に説明する。
なお、ステップＳ１１２〜ステップＳ１１６の動作は、利用情報を蓄積するたびに実行する必要はなく、会員、事業者及びＡＳＰ業者のそれぞれが任意のタイミングで実行できる動作である。
【００３３】
図３に、個人情報ＤＢ１０４へ格納される個人情報及び利用履歴情報ＤＢ１０５へ格納される利用情報のデータ構造例を示す。
例えば、個人情報のパラメータとしては、氏名、年齢、性別、住所、電話番号などの会員登録の際に入会希望者が入力した情報や会員登録申し込みメールの送信元アドレスのほか、例えば、登録店舗や関連ユーザ名などがあげられる。登録店舗は、会員登録している事業者名を示す情報であり、会員番号や蓄積ポイントなどを含んでいても良い。関連ユーザ名は、例えば、家族同士、友人同士、同じ会社の社員同士などの特定の関係にある各ユーザに設定されるパラメータである。関連ユーザ名は、個人情報ＤＢ１０４に格納されている情報に基づいて制御部１０１が自動的に設定（例えば、同一の住所のユーザ同士を関連づけするなど。）しても良いし、会員登録申し込みの際に、ユーザが特定のユーザとの関連付けを申請する情報を入力するようにしてもよい。
また、利用情報のパラメータとしては、例えば、会員名、取引日時、利用店舗、取引金額、発生ポイント、取引商品名などがあげられる。
センタサーバ１００の制御部１０１は、上記のパラメータに設定された検索条件に基づいて、個人情報データベース１０４に格納されている個人情報及び利用履歴情報ＤＢ１０５に格納されている利用情報を基に生成した情報を携帯電話端末３００ａや店舗端末２００ａへ配信できる。
【００３４】
例えば、会員（ここではＴａｒｏとする）が過去一週間の利用情報の履歴を知りたい場合は、操作部３０３を用いて携帯電話端末３００ａを操作し、過去一週間を条件として指定した上で、センタサーバ１００に情報の配信を要求する。センタサーバ１００がこの要求を受信すると、制御部１０１は、取引日時のパラメータに対する条件を過去一週間、ユーザ名のパラメータに対する条件をＴａｒｏに設定した上でａｎｄ検索を実行する。制御部１０１が通信部１０２を介して携帯電話端末３００ａへ検索結果を送信することによって、会員が要求した情報が携帯電話端末３００ａに配信される。
【００３５】
また、別の例として、事業者が店舗（ここでは店舗名をＡとする）に２回以上訪れた顧客名を知りたい場合は、店舗端末２００ａを操作し、入力部２０２を用いて来店回数２回以上を条件として指定した上で、センタサーバ１００に情報の配信を要求する。センタサーバ１００がこの要求を受信すると、制御部１０１は、店舗名のパラメータに対する条件をＡとして設定した上で検索を実行し、得られた結果からユーザ名のパラメータが重複する（２回以上ヒットする）ものを抽出することによって店舗端末２００ａへ配信する情報を得る。制御部１０１が通信部１０２を用いて店舗端末２００ａへ情報を送信することによって、事業者が要求した情報が店舗端末２００ａへ配信される。
【００３６】
さらに、別の例として、事業者が、１万円以上の取引をしたことがある女性の顧客名を知りたい場合、事業者は店舗端末２００ａを操作し、入力部２０２を用いて取引金額１万円以上及び女性を条件として指定した上で、センタサーバ１００へ情報の配信を要求する。センタサーバ１００がこの要求を受信すると、制御部１０１は、金額が１万円以上という条件で利用履歴情報ＤＢ１０５に蓄積されている利用情報を検索する。制御部１０１は、ここで得られた検索結果に対して、個人情報ＤＢ１０４に蓄積されている個人情報に含まれる性別パラメータを用いて絞り込み検索を行うことによって店舗端末２００ａへ配信する情報を得る。制御部１０１が通信部１０２を用いて店舗端末２００ａへ情報を送信することによって、事業者が要求した情報が店舗端末２００ａへ配信される。
【００３７】
また、センタサーバ１００が携帯電話端末３００ａへ情報をプッシュ配信する場合は、ＡＳＰ業者が個人情報及び利用情報の各パラメータに検索条件を設定し、設定されたに基づいて上記同様に制御部１０１が情報を生成すればよい。
なお、ここでは、制御部１０１が個人情報ＤＢ１０４や利用履歴情報ＤＢ１０５に格納されている個人情報や利用情報を基に生成した情報を配信する場合を説明したがこれに限定されるものではない。例えば、制御部１０１がコンテンツサーバ４００に情報（コンテンツ）の配信を要求し、上記同様にして制御部１０１が抽出した条件に適合する携帯電話端末３００や店舗端末２００に対してコンテンツサーバ４００が格納している情報を配信させるようにしてもよい。この動作も、携帯電話端末３００や店舗端末２００からの要求に応じたｐｕｌｌ型、あるいは、センタサーバ１００からのｐｕｓｈ型で実行することができる。
【００３８】
本実施形態による情報管理システムによれば、会員登録後の各会員の利用状況などを一括して管理すること、及びその情報に基づいて情報の配信を行うことができるため、ＡＳＰ業者、事業者及び会員のそれぞれに、以下に示す利点がある。
【００３９】
ＡＳＰ業者の利点は、事業者とユーザとの間で行われた取引に関する情報を、取引完了後即座に利用情報として蓄積できることである。
従来は、取引によって発生した情報を一定期間ごと（例えば、１日ごと、一週間ごと、一ヶ月ごとなど）に、各事業者が集計して利用情報として蓄積していたため、最新の利用情報を用いて情報を配信することはできなかった。
一方、本実施形態によればＡＳＰ業者は、最新の利用情報を用いて情報を配信できる。換言すれば、利用情報には、取引を行った店舗名を示す情報が含まれるため、取引が行われた時点で携帯電話端末３００ａの位置は特定される。よって、ＡＳＰ業者は、特定した携帯電話端末３００ａの位置と取引終了後の経過時間とに基いて携帯電話端末３００ａの位置を推定して情報を配信できる。例えば、過去１時間の間に店舗Ａで取引を行った会員のみに情報を配信することなどが可能となる。
このように、事業者が会員に発行する二次元コードと、会員の個人情報と、会員の利用履歴とを関連づけて管理し、これらの情報を利用して情報を配信するセンタサーバ１００を管理するＡＳＰ業者は、最新の利用情報を入手できる。
【００４０】
事業者の利点は、会員の情報をセンタサーバ１００で一括して管理できることである。
これにより、例えば、
○センタサーバ１００に蓄積されている情報を用いて売上管理を行える。
○ポイントスタンプの押印作業などを行う必要がないため、ポイント発行作業の労力を軽減できる。
○電子メールを用いたｐｕｓｈ型で会員へ情報を配信するようにセンタサーバ１００に要求することで、情報の配信を最新の利用情報に基づいてリアルタイムで行うことができる。
などの利点がある。
【００４１】
会員の利点は、自分の利用情報をセンタサーバ１００で一括して管理できることである。
これにより、事業者ごとに異なる会員カードを所持する必要が無くなるとともに、特定の店舗や特定の期間内の購買履歴などを参照できる。
また、個人情報に関連ユーザのパラメータを設定することによって、例えば、
○家族や職場などのグループ単位でポイントを集計することなどが可能となる。
○会員登録の有効期限が切れる前に登録更新の情報を配信してもらうことで、会員が知らない間に有効期限が切れてしまうことがなくなる。
○所定のポイント数に到達したことをセンタサーバ１００から通知してもらうことで、有効期限切れでポイントが失効してしまうことなどを防止できる。
○グループでポイントを蓄積している場合に、所定のポイント数に到達したことをグループの全員または一部にセンタサーバ１００から通知してもらうことができる。
○ポイントの端数が切り捨てられてしまうことがなくなる。
などの利点がある。
【００４２】
また、本実施形態にかかる情報管理システムによれば、携帯電話端末３００ａ内に二次元コードを保持できるため、会員にとって、例えば、
○会員カードを忘れたり、紛失したりすることがなくなる。
○グループの一人が会員カードを所持していると他のメンバーが会員カードを利用できないということがなくなる。
○自分の二次元コードをメールに添付したうえで家族や友人等に送信して、自分名義のポイントを貯めてもらうことができる。
○店舗ごとに個別の会員カードを携行する必要がなくなる。
などの利点がある。
【００４３】
〔第２の実施形態〕
本発明を好適に実施した第２の実施形態について説明する。図４に、本実施形態による顧客情報管理システムの構成を示す。
この顧客情報管理システムは、センタサーバ１００、店舗端末２００（２００ａ〜２００ｎ）、携帯電話端末３００（３００ａ〜３００ｎ）及びコンテンツサーバ４００を有する。なお、この情報管理システムは、複数の店舗端末２００ａ〜２００ｎ及び複数の携帯電話端末３００ａ〜３００ｎを有するが、説明の簡略化のため以下の説明は、店舗端末２００ａ及び携帯電話端末３００ａを用いて行う。
携帯電話端末３００ａは、第１の実施形態と同様にブラウザ機能を備えた端末であるが、２Ｄコード格納部を備えていない点が相違する。センタサーバ１００及び店舗店舗端末２００ａ及びコンテンツサーバ４００は、第１の実施形態と同様である。
【００４４】
図５に、本実施形態による情報管理システムの動作シーケンスを示す。
入会希望者は、携帯電話端末３００ａを操作して事業者用の会員登録申し込みフォームが設けられたホームページへアクセスし、操作部３０３を介してユーザ情報（氏名、年齢、性別など）を入力する。なお、このホームページのデータは、センタサーバ１００内の不図示の格納手段に格納しても良いし、不図示のｗｗｗサーバを設け、これに格納するようにしても良い。ユーザ情報の入力を終えた後、入会希望者が操作部３０３を介してホームページ上で送信を指示すると、制御部３０１は、センタサーバ１００を宛先として、ユーザ情報が添付された電子メールを送信する（ステップＳ２０１）。
【００４５】
会員登録申し込みフォームを用いて携帯電話端末３００ａから送信された電子メールをセンタサーバ１００が受信すると、制御部１０１は、ユーザ情報や会員登録申し込みメールの送信元のメールアドレスなどを個人情報として個人情報ＤＢ１０４へ格納する。この際、制御部１０１は、関連ユーザ名などの情報をユーザ情報とともに個人情報ＤＢ１０４へ格納する。
さらに、制御部１０１は、２Ｄコード格納部１０３に格納されている事業者の二次元コードのうち未使用のものを一つ選択し、入会希望者の個人情報と関連づけて会員登録を行う（ステップＳ２０２）。
【００４６】
会員は、事業者の店舗において代金を支払う際に、操作部３０３を操作し通信部３０２を介してセンタサーバ１００へ二次元コードの配信を要求する（ステップＳ２０３）。この際、パスワード入力などによる認証を行うことが好ましい。センタサーバ１００がこの要求を受信すると、制御部１０１は、会員へ割り振った二次元コード（会員コード用二次元コード）を電子メールに添付して、通信部１０２を介して携帯電話端末３００ａへ返信する（ステップＳ２０４）。
【００４７】
携帯電話端末３００ａがセンタサーバ１００からの返信メールを受信すると、制御部３０１は、電子メールに添付されてきた二次元コードを表示部３０４に表示させる（ステップＳ２０５）。事業者は、表示部３０４に表示された二次元コードを２Ｄコード読み取り部２０４を用いて店舗端末２００ａに読み取らせる（ステップＳ２０６）。制御部２０１は、取得した二次元コードの情報（会員コード）を、通信部２０３を用いてセンタサーバ１００へ送信する（ステップＳ２０７）。
以降、ステップＳ２０８〜Ｓ２１７の処理は、第１の実施形態におけるステップＳ１０８〜Ｓ１１７の処理と同様である。
【００４８】
本実施形態による情報管理システムは、携帯電話端末３００ａ内に二次元コードを保持しないことによって、会員にとって以下に示すような利点がある。
○取引のたびごとにセンタサーバ１００から携帯電話端末３００ａへ二次元コードを配信するため、悪意の第三者によって不正な取引が行われることを防止できる。すなわち、携帯電話端末３００ａが盗難にあった場合でも不正な取引に使用されることがない。
○携帯電話端末３００ａの機種を変更したり、メールアドレスを変更した場合であっても、二次元コードをセンタサーバ１００から再取得できる。
このように、登録した会員の二次元コードをセンタサーバ１００に常時保持することにより、会員は、携帯電話端末３００ａの機種変更やメールアドレス変更に伴う二次元コードの消失に対応できる。すなわち、必要に応じてセンタサーバ１００にアクセスして、自分に割り振られた会員コード用二次元コードをダウンロードすることができる。
【００４９】
〔第３の実施形態〕
本発明を好適に実施した第３の実施形態について説明する。
図６に、本実施形態による情報管理システムを示す。このシステムは、センタサーバ１００、店舗端末２００（２００ａ〜２００ｎ）、携帯電話端末３００（３００ａ〜３００ｎ）及びコンテンツサーバ４００を有する。なお、この情報管理システムは複数の店舗端末２００ａ〜２００ｎ及び複数の携帯電話端末３００ａ〜３００ｎを有するが、説明の簡略化のため以下の説明は、店舗端末２００ａ及び携帯電話端末３００ａを用いて行う。
本実施形態において、事業者の店舗は例えば屋台や出店あるいはタクシーなどの移動可能な店舗である。
【００５０】
店舗端末２００ａは、第１の実施形態の構成に加えて、ＧＰＳ機能部２０６を有する、ＧＰＳ機能部２０６は、ＧＰＳ（Global Positioning Systems）衛星からの電波を受信して位置情報を生成する機能部である。
なお、センタサーバ１００、携帯電話端末３００ａ及びコンテンツサーバ４００は、第１の実施形態と同様である。
【００５１】
図７に、本実施形態による情報管理システムの動作シーケンスを示す。
まず、入会希望者の会員登録を行う（ステップＳ３０１〜Ｓ３０４）。この処理は、第１の実施形態と同様の処理（ステップＳ１０１〜Ｓ１０４）である。
会員は、事業者の店舗において代金を支払う際に、操作部３０３を用いて２Ｄコード格納部３０５に格納されている二次元コードを表示部３０４に表示させて事業者へ提示し、会員登録されていることを認証してもらう（ステップＳ３０５〜３０９）。この処理は、第１の実施形態と同様の処理（ステップＳ１０５〜Ｓ１０９）である。
【００５２】
認証が完了すると（ステップＳ３０９）、ＧＰＳ機能部２０６は、ＧＰＳ衛星から受信した電波を基に位置情報（緯度、経度、高度など）を生成する（ステップＳ３１０）。また、店舗端末２００ａは、表示部２０５にメッセージを表示し、会員又は事業者に対して取引条件（金額や商品名など）の入力を促す。制御部２０１は、ＧＰＳ機能部２０６が生成した位置情報と入力部２０２を介して入力された取引条件情報とを通信部２０３を用いてセンタサーバ１００へ送信する（ステップＳ３１１）。
【００５３】
センタサーバ１００が、店舗端末２００ａから位置情報及び取引条件情報を受信すると、制御部１０１は、取引条件情報を受信した時間、取引条件情報の送信元を特定する情報及び取引金額に応じたポイント情報など生成する。制御部１０１は、これらの情報、取引条件情報及び位置情報を個人情報ＤＢ１０４に格納されている会員の個人情報と関連付けて利用情報として利用履歴情報ＤＢ１０５へ格納し、さらに個人情報ＤＢ１０４に格納されている個人情報を更新する（ステップＳ３１２）。
このようにして、会員が取引を行うたびに、センタサーバ１００は、利用情報を利用履歴情報ＤＢ１０５へ蓄積する。
【００５４】
制御部１０１は、第１の実施形態と同様に、個人情報ＤＢ１０４及び利用履歴情報ＤＢ１０５に格納されている利用情報を用いて、会員からの要求（ステップＳ３１３）や事業者からの要求（ステップＳ３１５）に応じたｐｕｌｌ型（ステップＳ３１４、Ｓ３１６）、あるいは、携帯電話端末３００ａへｐｕｓｈ型で情報を配信できる（ステップＳ３１７）。
【００５５】
図８に示すように、本実施形態による情報管理システムにおいて、利用履歴情報ＤＢ１０５に蓄積される利用情報のパラメータには、取引時の店舗端末２００ａの位置情報が含まれる。
よって、屋台などの特定の位置に固定されない店舗における取引であっても、取引時の携帯電話端末３００ａの位置を特定できるため、上記同様に、特定した携帯電話端末３００ａの位置と取引終了後の経過時間とに基いて携帯電話端末３００ａの位置を推定して情報を配信できる。
【００５６】
なお、本実施形態においては、屋台や出店あるいはタクシーなどを事業者の店舗の例として挙げたが、実質的な店舗を備えず、カタログなどを所持した販売員が店舗端末２００を携行して会員の自宅を訪問し、取引を行うようにしても良い。
【００５７】
〔第４の実施形態〕
本発明を好適に実施した第４の実施形態について説明する。図９に、本実施形態による情報管理システムを示す。この情報管理システムは、センタサーバ１００、店舗端末２００（２００ａ〜２００ｎ）、携帯電話端末３００（３００ａ〜３００ｎ）及びコンテンツサーバ４００を有する。なお、センタサーバ１００、店舗端末２００ａ及びコンテンツサーバ４００は、第１の実施形態と同様である。ただし、第３の実施形態と同様に、事業者の店舗は、例えば、屋台や出店あるいはタクシーなどの移動可能な店舗である。
【００５８】
携帯電話端末３００ａは、ＧＰＳ機能部３０６及び２Ｄコード生成部３０７を有する他は、第１の実施形態と同様である。ＧＰＳ機能部３０６は、ＧＰＳ衛星から受信した電波を基に位置情報を生成する機能部である。２Ｄコード生成部３０７は、ＧＰＳ機能部３０６が生成した位置情報を基に二次元コードを生成する機能部である。
【００５９】
図１０に、本実施形態による情報管理システムの動作シーケンスを示す。
まず、入会希望者の会員登録を行う（ステップＳ４０１〜Ｓ４０４）。この処理は、第１の実施形態と同様の処理（ステップＳ１０１〜Ｓ１０４）である。
会員が、事業者の店舗において代金を支払う際に、操作部３０３を用いて２Ｄコード格納部３０５に格納されている二次元コード（会員コード用二次元コード）を読み出す操作を行うと、ＧＰＳ機能部３０６は、ＧＰＳ衛星から受信した電波に基づいて位置情報を生成する。２Ｄコード生成部３０７は、ＧＰＳ機能部３０６が生成した情報を基に二次元コード（位置情報二次元コード）を生成する（ステップＳ４０５）。制御部３０１は、２Ｄコード格納部３０５に蓄積されている店舗端末２００ａ用の二次元コード（会員コード用二次元コード）と、２Ｄコード生成部３０７が生成した二次元コード（位置情報二次元コード）とを、表示部３０４に表示させる（ステップＳ４０６）。
図１１に、表示部３０４に表示される二次元コードの例を示す。表示部３０４には、会員コード用二次元コードと携帯電話端末３００ａの位置情報を示す位置情報二次元コードとが隣接して表示される。
【００６０】
事業者は、表示部３０４に表示された二次元コードを２Ｄコード読み取り部２０４を用いて店舗端末２００ａに読み取らせる（ステップＳ４０７）。店舗端末２００ａが二次元コードを読み取ると、制御部２０１は、二次元コードを読み取って取得した情報（会員コード）を、通信部２０３を用いてセンタサーバ１００へ送信する（ステップＳ４０８）。
【００６１】
センタサーバ１００が店舗端末２００ａから二次元コードの情報（会員コード）を取得すると、制御部１０１は、２Ｄコード格納部１０３に格納されている事業者の使用済み二次元コードの中に、店舗端末２００ａから受信した会員コードによって示される二次元コードと一致するものがあるか否かを判断する（ステップＳ４０９）。
一致するものがない場合は（ステップＳ４０９／Ｎｏ）、情報管理システムは処理を終了する。この時、制御部１０１が店舗端末２００ａに対してエラーを通知するようにしてもよい。
一方、一致するものがある場合（ステップＳ４０９／Ｙｅｓ）、制御部１０１は、店舗端末２００ａから取得した情報に含まれる位置情報を不図示のメモリ上に一時的に保持するとともに、表示部３０４に表示された二次元コードが使用済みであることを店舗端末２００ａへ通知する（ステップＳ４１０）。これによって、携帯電話端末３００ａのユーザが会員として登録されていることがセンタサーバ１００から店舗端末２００ａへ通知される。
【００６２】
店舗端末２００ａは、表示部２０５にメッセージを表示し、事業者（又は、会員）に対して取引条件（金額や商品名など）の入力を促す。制御部２０１は、入力部２０２を介して入力された取引条件情報を通信部２０３を用いてセンタサーバ１００へ送信する（ステップＳ４１１）。
【００６３】
センタサーバ１００が店舗端末２００ａから取引条件情報を受信すると、制御部１０１は、取引条件情報を受信した時間や取引条件情報の送信元を特定する情報、取引金額に応じたポイント情報など生成する。制御部１０１は、これらの情報と取引条件情報と不図示のメモリ上に保持しておいた位置情報とを個人情報ＤＢ１０４に格納されている会員の個人情報と関連付けて利用情報として利用履歴情報ＤＢ１０５へ格納し、さらに個人情報ＤＢ１０４に格納されている個人情報を更新する（ステップＳ４１２）。
【００６４】
このようにして、会員が取引を行うたびに、センタサーバ１００は、利用情報を利用履歴情報ＤＢ１０５へ蓄積する。
利用履歴情報ＤＢ１０５に蓄積される利用情報は、図８に示した第３の実施形態と同様に位置情報をパラメータとして持つことになるが、本実施形態において位置情報のパラメータは、店舗端末２００ａの位置ではなく携帯電話端末３００ａの位置を示す点で相違する。
制御部１０１は、第１の実施形態と同様に、個人情報ＤＢ１０４及び利用履歴情報ＤＢ１０５に格納されている利用情報を用いて、会員からの要求（ステップＳ４１３）や事業者からの要求（ステップＳ４１５）に応じたｐｕｌｌ型（ステップＳ４１４、Ｓ４１６）、あるいは、携帯電話端末３００ａへｐｕｓｈ型で情報を配信できる（ステップＳ４１７）。
【００６５】
本実施形態による情報管理システムは、携帯電話端末３００がＧＰＳ機能を備えることにより、屋台などの特定の位置に固定されない店舗における取引であっても、取引時の携帯電話端末３００の位置を特定できる。このため、上記同様に、特定した携帯電話端末３００の位置と取引終了後の経過時間とに基づいて携帯電話端末３００の位置を推定してリアルタイムで情報を配信できる。
【００６６】
なお、本実施形態においても、屋台や出店あるいはタクシーなどを事業者の店舗の例として挙げたが、実質的な店舗を備えず、カタログなどを所持した販売員が店舗端末２００を携行して会員の自宅を訪問し、取引を行うようにしても良い。
【００６７】
〔第５の実施形態〕
本発明を好適に実施した第５の実施形態について説明する。図１２に、本実施形態による情報管理システムを示す。この情報管理システムは、センタサーバ１００、店舗端末２００（２００ａ〜２００ｎ）、携帯電話端末３００（３００ａ〜３００ｎ）及びコンテンツサーバ４００を有する。なお、この情報管理システムは複数の店舗端末２００ａ〜２００ｎ及び複数の携帯電話端末３００ａ〜３００ｎを有するが、説明の簡略化のため以下の説明は、店舗端末２００ａ及び携帯電話端末３００ａを用いて行う。
【００６８】
店舗端末２００ａは、２Ｄコード格納部２０７をさらに有する点が第１の実施形態と相違する。２Ｄコード格納部２０７は、通信部２０２を介してセンタサーバ１００から取得した二次元コードが格納される。
なお、センタサーバ１００、携帯電話端末３００ａ及びコンテンツサーバ４００は、第１の実施形態と同様である。
【００６９】
図１３に、本実施形態による情報管理システムの動作シーケンスを示す。
まず、入会希望者の会員登録を行う（ステップＳ５０１〜Ｓ５０４）。この処理は、第１の実施形態と同様の処理（ステップＳ１０１〜Ｓ１０４）である。
会員登録が完了した後、センタサーバ１００は、登録した会員に新たに割り振った店舗端末２００ａ用の二次元コード（会員コード用二次元コード）を店舗端末２００ａへ送信する（ステップＳ５０５）。店舗端末２００ａが二次元コードをセンタサーバ１００から受信すると、制御部２０１はセンタサーバ１００から取得した二次元コードを２Ｄコード格納部２０７に格納する（ステップＳ５０６）。これによって、店舗端末２００ａには、会員として登録された顧客の二次元コードが蓄積される。
【００７０】
会員は、事業者店舗において代金を支払う際に、操作部３０３を用いて２Ｄコード格納部３０５に格納されている二次元コード（会員コード用二次元コード）を読み出し、表示部３０４に表示させる（ステップＳ５０７）。
事業者は、表示部３０４に表示された二次元コードを２Ｄコード読み取り部２０４を用いて店舗端末２００ａに読み取らせる（ステップＳ５０８）。二次元コードを読み取り終えると、制御部２０１は、会員コード用二次元コードから取得した会員コードによって示される二次元コードが、２Ｄコード格納部２０８に格納されているか否かを確認する（ステップＳ５０９）。
【００７１】
読み取った二次元コードと一致するデータが２Ｄコード格納部２０８に格納されていない場合（ステップＳ５０９／Ｎｏ）、店舗端末２００ａは処理を終了する。この時、店舗端末２００ａがエラー表示をするようにしてもよい。
一方、一致するものがある場合（ステップＳ５０９／Ｙｅｓ）、店舗端末２００ａは、表示部２０５にメッセージを表示し、事業者（又は、会員）に対して取引条件（金額や商品名など）の入力を促す（ステップＳ５１０）。制御部２０１は、入力部２０２を介して入力された取引条件情報を通信部２０３を用いてセンタサーバ１００へ送信する（ステップＳ５１１）。以下、ステップＳ５１２以降の処理は、第１の実施形態のステップＳ１１１以降の処理と同様である。
これにより、第１の実施形態と同様に、個人情報ＤＢ１０４及び利用履歴情報ＤＢ１０５に格納されている利用情報を用いて、会員からの要求（ステップＳ５１３）や事業者からの要求（ステップＳ５１５）に応じたｐｕｌｌ型（ステップＳ５１４、Ｓ５１６）、あるいは、携帯電話端末３００ａへｐｕｓｈ型（ステップＳ５１７）で情報を配信できる。
【００７２】
本実施形態による情報管理システムは、店舗端末２００ａに会員登録済みの二次元コードを格納することによって、以下に示すような効果が得られる。
会員としては、店舗端末２００ａがセンタサーバ１００と通信を行うことなく二次元コードを認証できるため、代金の支払いの際の待ち時間を短縮できる。また、店舗端末２００ａに蓄積されるデータは、会員登録の際に発行された二次元コードのみであり、住所・氏名等の個人情報は通信端末２００ａには蓄積されない。すなわち、個人情報はセンタサーバ１００で一元的に管理されるため、会員の個人情報が流出するおそれがない。
一方、事業者としては、会員から提示された二次元コードを認証する際にセンタサーバ１００と通信を行う必要がないため通信コストを低減できる。また、ネットワーク網自体のトラフィックを軽減できる。
【００７３】
〔第６の実施形態〕
本発明を好適に実施した第６の実施形態について説明する。本実施形態による情報管理システムの構成は第１の実施形態と同様である。なお、本実施形態においても店舗端末２００ａ及び携帯電話端末３００ａを用いて説明を行う。
図１４に、本実施形態による情報管理システムにおいて、センサーバ１００の個人情報ＤＢ１０４に格納される個人情報のデータ構造を示す。
図に示すように、本実施形態では、個人情報のパラメータに利用可能残高情報が含まれる。
利用可能残高情報は、会員が事業者の店舗で利用可能な金額を示す情報であり、会員が商取引を行ったり、例えば携帯電話端末３００ａを用いて入金操作を行うごとに、最新の情報に更新される。
【００７４】
図１５に、本実施形態による情報管理システムの動作シーケンスの一例を示す。
まず、入会希望者の会員登録を行う（ステップＳ６０１〜Ｓ６０４）。この処理は、第１の実施形態と同様の処理（ステップＳ１０１〜Ｓ１０４）である。
【００７５】
会員が事業者店舗において代金を支払う際に、事業者又は会員は、入力部２０２を用いて店舗端末２００ａに取引条件（金額や商品名など）を入力する（ステップＳ６０５）。
会員は、操作部３０３を用いて２Ｄコード格納部３０５に格納されている二次元コード（会員コード用二次元コード）を読み出し、表示部３０４に表示させる（ステップＳ６０６）。事業者は、表示部３０４に表示された二次元コードを２Ｄコード読み取り部２０４を用いて店舗端末２００に読み取らせる（ステップＳ６０７）。二次元コードを読み取り終えると制御部２０１は、二次元コードを読み取って取得した情報（会員コード）及び取引条件情報を、通信部２０３を用いてセンタサーバ１００へ送信する（ステップＳ６０８）。
【００７６】
センタサーバ１００が店舗端末２００ａから二次元コードの情報（会員コード）を取得すると、制御部１０１は２Ｄコード格納部１０３に格納されている事業者の使用済み二次元コードの中に、店舗端末２００から受信した会員コードによって示される二次元コードと一致するものがあるか否かを判断する（ステップＳ６０９）。
【００７７】
２Ｄコード格納部１０３に格納されている二次元コードの中に一致するものがない場合は（ステップＳ６０９／Ｎｏ）、情報管理システムは処理を終了する。この時、店舗端末２００ａに対してエラーを通知するようにしてもよい。
一方、一致するものがある場合（ステップＳ６０９／Ｙｅｓ）、制御部１０１は、この二次元コードと関連づけられている個人情報を個人情報ＤＢ１０４から読み出す。さらに、制御部１０１は、この個人情報に含まれる残高情報と店舗端末２００から取得した取引条件情報に含まれる取引金額とを比較して、支払い可能であるか否かを確認する（ステップＳ６１０）。
【００７８】
残高不足のため支払い不可能である場合（ステップＳ６１０／Ｎ）、制御部１０１は店舗端末２００ａに残高不足であることを通知して、エラー終了する。
支払いが可能である場合（ステップＳ６１０／Ｙ）、制御部１０１は、取引金額を差し引いて新たな残高情報を生成し、個人情報ＤＢ１０４に格納されている個人情報を更新する（ステップＳ６１１）。さらに、制御部１０１は利用情報を生成し、利用履歴情報ＤＢ１０５に蓄積する（ステップＳ６１２）。
そして、取引が成立したことを店舗端末２００ａ及び携帯電話端末３００ａに通知する（ステップＳ６１３、Ｓ６１４）
以降、ステップＳ６１５以降の処理は、第１の実施形態におけるステップＳ１１２〜Ｓ１１７の処理と同様であり、上記同様に、個人情報ＤＢ１０４及び利用履歴情報ＤＢ１０５に格納されている情報を用いて、会員からの要求（ステップＳ６１５）や事業者からの要求（ステップＳ６１７）に応じたｐｕｌｌ型（ステップＳ６１６、Ｓ６１８）、あるいは、携帯電話端末３００ａへｐｕｓｈ型（ステップＳ６１９）で情報を配信できる。
【００７９】
本実施形態による情報管理システムは、個人情報のパラメータとして残高情報を含むため、二次元コードを利用した電子決済が可能となる。
なお、電子決済は上記手法に限定されることはない。例えば、残高情報の代わりに口座番号情報のパラメータを設け、金融機関の口座から取引の代金を引き落とすようにしてもよい。
【００８０】
〔第７の実施形態〕
本発明を好適に実施した第７の実施形態について説明する。
本実施形態による情報管理システムは、図１に示した第１の実施形態による情報管理システムと同様であり、センタサーバ１００、店舗端末２００（２００ａ〜２００ｎ）、携帯電話端末３００（３００ａ〜３００ｎ）及びコンテンツサーバ４００を有する。
本実施形態において、店舗端末２００は、特定のグループに属する事業者の店舗（例えば、同一の商店街にある店舗や事業提携している店舗など）に設置されている。
また、センタサーバ１００が備える２Ｄコード格納部１０３は、ユニークな二次元コード群を事業者のグループごとに格納している。換言すると、２Ｄコード格納部１０３は、店舗端末２００ａ〜２００ｎに共通な二次元コードを格納している。
なお、携帯電話端末３００ａ〜３００ｎ及びコンテンツサーバ４００は、第１の実施形態と同様である。
【００８１】
本実施形態による情報管理システムの動作シーケンスは、図２に示した第１の実施形態と同様である。ただし、ステップＳ１０２において制御部１０１は、２Ｄコード格納部１０３に格納されている店舗端末２００ａ〜２００ｎに共通な二次元コード群の中から未使用のものを選択して、入会希望者の個人情報と関連づける。よって、ステップＳ１０３の動作においてセンタサーバ１００から配信され、ステップＳ１０４の動作で携帯電話端末３００ａに蓄積された二次元コード（会員コード用二次元コード）は、会員と事業者との取引（ステップＳ１０５〜Ｓ１０８）の際に、店舗端末２００ａ〜２００ｎで共通して利用できる。
また、ステップＳ１１１の動作において、制御部１０１は、事業者のグループごとにポイント情報を生成しても良いし、各事業者ごとにポイント情報を生成しても良い。または、グループごとのポイント情報と事業者ごとのポイント情報とを両方生成してもよい。
本実施形態による情報管理システムも、第１の実施形態と同様に、個人情報ＤＢ１０４に格納されている個人情報及び利用履歴情報ＤＢ１０５に格納されている利用情報を用いて、会員からの要求（ステップＳ１１２）や事業者からの要求（ステップＳ１１４）に応じたｐｕｌｌ型（ステップＳ１１３、Ｓ１１５）、あるいは、携帯電話端末３００ａへｐｕｓｈ型で情報を配信できる（ステップＳ１１６）。
【００８２】
ここでは、各事業者（店舗端末２００ａ〜２００ｎ）が一つのグループを形成する場合を例に説明を行ったが、事業者が二つ以上のグループを形成してもよい。例えば、店舗端末２００ａ〜２００ｇを第１のグループとし、店舗端末２００ｈ〜２００ｎを第２のグループとし、センタサーバ１００が各グループに対する会員登録要求に応じた二次元コード（会員コード用二次元コード）を携帯電話端末３００ａへ配信するようにしてもよい。
また、事業者が複数のグループを形成する場合は、一つの事業者のみからなるグループが存在しても構わない。例えば、店舗端末２００ａ〜２００ｅを第１のグループとし、店舗端末２００ｆを第２のグループとし、店舗端末２００ｇ〜２００ｎを第３のグループとし、センタサーバ１００がそれぞれのグループに対する会員登録要求に応じた二次元コード（会員コード用二次元コード）を携帯電話端末３００へ配信するようにしてもよい。
【００８３】
本実施形態による情報管理システムは、特定のグループに属する事業者に共通する二次元コードを携帯電話端末３００ａに配信することによって、以下に示すような利点がある。
【００８４】
会員の利点は、同じグループに属する事業者の店舗端末において共通して使用できる二次元コードを取得できることである。これにより、携帯電話端末３００ａに蓄積する二次元コードのデータ量を低減することができる。また、事業者との取引を行う際に、所望する二次元コードを容易に表示部３０４に表示させることができる。
また、センタサーバ１００がグループで共通のポイント情報を生成・管理すれば、会員は、グループに属するいずれの事業者と取引を行ってもポイントを蓄積できるため、ポイントを蓄積しやすい。換言すると、会員は蓄積したポイントに応じたサービスを受けやすくなる。
【００８５】
事業者の利点は、会員が取引を行いやすい環境を構築できることである。換言すると、上記したような会員にとっての利点が存在するため、会員の購買意欲を促進することができる。
また、センタサーバ１００がグループで共通のポイント情報を生成・管理して、ポイントを蓄積しやすい環境を構築することで、入会希望者増やし、取引の数を増加させることができる。
【００８６】
ＡＳＰ業者の利点は、会員が取引を行いやすい環境を構築できることである。換言すると、上記したような会員にとっての利点が存在するため、より多くの取引条件情報を携帯電話端末３００から取得できる。すなわち、利用履歴情報ＤＢ１０５により多くの利用情報を蓄積できる。また、センタサーバ１００がグループで共通のポイント情報を生成・管理してポイントを蓄積しやすい環境を構築することで、入会希望者の数を増やし、より多くの個人情報を個人情報ＤＢ１０４に蓄積できる。
個人情報ＤＢ１０４や利用履歴情報ＤＢ１０５に蓄積している個人情報や利用情報が多いほど、制御部１０１は検索条件に適合する情報を抽出しやすくなる。このため、センタサーバ１００は、より的確な検索条件で抽出した情報を用いて店舗端末２００や携帯電話端末３００に情報を配信することができる。
【００８７】
〔第８の実施形態〕
本発明を好適に実施した第８の実施形態について説明する。
本実施形態による情報管理システムは、図１に示した第１の実施形態による情報管理システムと同様である。
また、この情報管理システムの動作シーケンスは、図２に示した第１の実施形態と同様であり、上記同様にして入会希望者の会員登録（ステップＳ１０１〜１０４）や会員の認証（ステップＳ１０５〜Ｓ１１０）を行う。
ただし、センタサーバ１００は、ステップＳ１１１の動作において制御部１０１が取引金額に応じて生成するポイント情報を、全ての事業者に共通した情報として管理する。
【００８８】
図１６に、本実施形態において個人情報ＤＢ１０４に格納される個人情報のデータ構造例を示す。本実施形態では、各事業者ごとのポイント情報に加え、全ての事業者の蓄積ポイントを累計した値であるトータルポイント（Total   pt）が個人情報のパラメータとして含まれている。
よって、制御部１０１は、情報管理システムに属する店舗端末２００のいずれかにおいて携帯電話端末３００ａを用いて行われた全ての取引に基づいたトータルポイントを管理できる。
ＡＳＰ業者は、トータルポイントに応じて情報を配信できる。例えば、トータルポイントが所定の値に達した会員に対して、事業者の店舗において割引券として利用できる二次元コードを配信することなどが可能となる。
【００８９】
本実施形態による情報管理システムは、センタサーバ１００がトータルポイントを個人情報に含めて管理することで以下に示すような利点がある。
【００９０】
会員の利点は、いずれの事業者と取引を行ってもポイントを蓄積でき、ポイントを蓄積しやすいことである。換言すると、会員は蓄積したポイントに応じたサービスを受けやすくなる。
【００９１】
事業者の利点は、会員が取引を行いやすい環境を構築できることである。換言すると、上記したような会員にとっての利点が存在するため、会員の購買意欲を促進することができる。
また、センタサーバ１００がトータルポイントを個人情報に含めて管理し、ポイントを蓄積しやすい環境を構築することで、入会希望者増やし、取引の数を増加させることができる。
【００９２】
ＡＳＰ業者の利点は、会員が取引を行いやすい環境を構築できることである。  センタサーバ１００は、情報管理システムに属する店舗端末２００のいずれかにおいて会員の誰かが携帯電話端末３００を用いて取引を行えば、利用情報を利用情報ＤＢ１０５に蓄積できる。このため、ＡＳＰ業者としては、情報管理システムに属する全ての店舗端末２００における取引量を増加させ、より多く利用情報を利用履歴情報ＤＢ１０５に蓄積することが好ましい。
本実施形態による情報管理システムにおいては、上記したような会員にとっての利点が存在することで、センタサーバ１００がより多くの取引条件情報を携帯電話端末３００から取得できるため、利用履歴情報ＤＢ１０５により多くの利用情報を蓄積できる。また、センタサーバ１００がトータルポイントを管理し、ポイントを蓄積しやすい環境を構築することで、入会希望者の数を増やし、より多くの個人情報を個人情報ＤＢ１０４に蓄積できる。すなわち、ＡＳＰ業者がトータルポイントに応じたサービスを会員へ提供することで、入会希望者を増加させることや会員の購買意欲を促進させることができ、より多くの個人情報及び利用情報を個人情報ＤＢ１０４や利用履歴ＤＢ１０５に蓄積することが可能となる。
個人情報ＤＢ１０４や利用履歴情報ＤＢ１０５により多く個人情報や利用情報を蓄積することで、制御部１０１は検索条件に適合する情報を抽出しやすくなる。このため、センタサーバ１００は、より的確な検索条件で抽出した情報を用いて店舗端末２００や携帯電話端末３００に情報を配信することが可能となる。
【００９３】
〔第９の実施形態〕
本発明を好適に実施した第９の実施形態について説明する。
本実施形態による情報管理システムは、図１に示した第１の実施形態による情報管理システムと同様であり、センタサーバ１００、店舗端末２００（２００ａ〜２００ｎ）及び携帯電話端末３００（３００ａ〜３００ｎ）を有する。
なお、この情報管理システムは、複数の店舗端末２００ａ〜２００ｎ及び複数の携帯電話端末３００ａ〜３００ｎを有するが、説明の簡略化のため以下の説明は、店舗端末２００ａ及び携帯電話端末３００ａを用いて行う。
本実施形態において、２Ｄコード格納部１０３には、各事業者端末を特定するための情報（店舗コード）と関連づけられた２次元コードが、各事業者に割り当てられたユニークな二次元コード群とともに格納されている。
また、店舗端末２００は、自端末を特定するための情報（店舗コード）を不図示の不揮発性の記憶装置（例えば、ＮＶＲＡＭなど）に保持している。
【００９４】
図１７に、本実施形態による情報処理システムの動作シーケンスの一例を示す。
入会希望者は、事業者用の会員登録申し込みフォームが設けられたホームページへアクセスし、操作部３０３を用いてユーザ情報（氏名、年齢、性別など）を入力する。なお、このホームページのデータは、センタサーバ１００内の不図示の格納手段に格納するようにしても良いし、不図示のｗｗｗサーバに格納するようにしても良い。ユーザ情報の入力を終えた後、入会希望者が操作部３０３を用いて上記ホームページ上で送信を指示すると、制御部３０１は、センタサーバ１００を宛先として、ユーザ情報が添付された電子メールを通信部３０２を介して送信する（ステップＳ７０１）。
【００９５】
会員登録申し込みフォームを用いて携帯電話端末３００ａから送信された電子メールをセンタサーバ１００が受信すると、制御部１０１は、ユーザ情報や会員登録申し込みメールの送信元のメールアドレスなどを個人情報として個人情報ＤＢ１０４へ格納する。この際、制御部１０１は、後述する関連ユーザ名などの情報をユーザ情報とともに個人情報ＤＢ１０４へ格納する。
さらに制御部１０１は、２Ｄコード格納部１０３に格納されている店舗端末２００ａに割り当てられた二次元コードのうち未使用のものを一つ選択し、入会希望者の個人情報と関連づけて会員登録を行う（ステップＳ７０２）。なお、個人情報と関連づけられた二次元コードは、以降使用済みとして扱われる。その後、制御部１０１は、携帯電話端末３００ａのユーザの個人情報に関連づけた二次元コードと、店舗端末２００ａを特定するための情報を示す二次元コードとを添付した電子メールを、通信部３０２を介して携帯電話端末３００ａへ返信する（ステップＳ７０３）。
【００９６】
携帯電話端末３００ａがセンタサーバ１００からの返信メールを受信すると、制御部３０１は、受信したメールに添付されてきた二次元コードを２Ｄコード格納部３０５へ格納する（ステップＳ７０４）。二次元コードを格納する方法としては、メールボックス機能を用いて電子メールごと格納するようにしてもよいし、画面メモ機能やアドレス帳機能などを利用して二次元コードを格納するようにしてもよい。
ステップＳ７０１からＳ７０４の動作によって、入会希望者の会員登録が完了する。
【００９７】
会員は、事業者の店舗において代金を支払う際に、操作部３０３を用いて２Ｄコード格納部３０５に格納されている事業者端末２００ａ用の二次元コードを読み出し、表示部３０４に表示させる（ステップＳ７０５）。例えば、図１８に示すように、表示部３０４には、会員の個人情報に関連づけられた二次元コード（会員コード用二次元コード）と店舗端末２００ａを特定するための情報（店舗コード）を示す二次元コード（店舗コード用二次元コード）とがそれぞれ所定の位置に表示される。
【００９８】
事業者は、２Ｄコード読み取り部２０４を用いて、表示部３０４に表示された二次元コードを店舗端末２００ａに読み取らせる（ステップＳ７０６）。制御部２０１は、読み取った二次元コードのうち店舗コード用二次元コードの部分から取得した店舗コードが、自端末用の店舗コードであるか否かを判断する（ステップＳ７０７）。
店舗コード用二次元コードを読み取って取得した店舗コードが自端末の店舗コードでない場合（ステップＳ７０７／Ｎ）、店舗端末２００ａは処理を終了する。なお、この場合は、表示部２０５においてメッセージを表示して会員や事業者にエラーを通知するようにしてもよい。一方、店舗コード用二次元コードを読み取って取得した店舗コードが、自端末の店舗コードである場合（ステップＳ７０７／Ｙ）、店舗端末２００ａは、表示部２０５にメッセージを表示し、事業者（又は、会員）に対して取引条件（金額や商品名など）の入力を促す（ステップＳ７０８）。制御部２０１は、入力部２０２を介して事業者から入力された取引条件情報、及び、２Ｄコード読み取り部２０４が表示部３０４に表示された二次元コードを読み取って取得した情報（会員コード・店舗コード）を、通信部２０３を用いてセンタサーバ１００へ送信する（ステップＳ７０９）。
【００９９】
取引条件情報及び読み取った二次元コードから取得した情報を、センタサーバ１００が店舗端末２００ａから受信すると、制御部１０１は、店舗端末２００ａから受信した会員コードと一致するものを、２Ｄコード格納部に１０３に格納されている事業者端末２００ａに割り当てられた二次元コード群の中から選びだす。さらに、この二次元コードと関連づけた個人情報を個人情報ＤＢ１０４から読み出して、会員を特定する（ステップＳ７１０）。すなわち、制御部１０１は、店舗端末２００ａから受信した会員コードと、２Ｄ格納部１０３に格納されている二次元コードと、個人情報ＤＢ１０４に格納されている個人情報とを用いて会員を特定する。
【０１００】
会員を特定したのち、制御部１０１は、取引条件情報を受信した時間や取引条件情報の送信元を特定する情報、取引金額に応じたポイント情報など生成する。制御部１０１は、これらの情報及び取引条件情報を個人情報ＤＢ１０４に格納されている会員の個人情報と関連付けて利用情報として利用履歴情報ＤＢ１０５へ格納し、さらに個人情報ＤＢ１０４に格納されている個人情報を更新する（ステップＳ７１１）。
このようにして、会員が取引を行うたびに、センタサーバ１００は、利用情報を利用履歴情報ＤＢ１０５へ蓄積する。
【０１０１】
本実施形態による情報管理システムにおいても、上記同様に制御部１０１は、個人情報ＤＢ１０４及び利用履歴情報ＤＢ１０５に格納されている情報を用いて、会員からの要求（ステップＳ７１２）や事業者からの要求（ステップＳ７１４）に応じたｐｕｌｌ型（ステップＳ７１３、Ｓ７１５）、あるいは、携帯電話端末３００ａへｐｕｓｈ型で情報を配信できる（ステップＳ７１６）。
【０１０２】
本実施形態にかかる情報管理システムによれば、センタサーバ１００が、店舗端末２００ａに割り当てた二次元コードと店舗端末２００ａを特定する情報を示す二次元コードとを携帯電話端末３００ａに配信することで、以下のような利点がある。
会員としては、店舗端末２００ａがセンタサーバ１００と通信を行うことなく二次元コードを認証できるため、代金の支払いの際の待ち時間を短縮できる。また、携帯電話端末３００ａに蓄積されるデータは、会員登録の際に発行された二次元コードのみであり、住所・氏名等の個人情報は通信端末３００ａには蓄積されない。すなわち、個人情報はセンタサーバ１００で一元的に管理されるため、会員の個人情報が流出するおそれがない。
一方、事業者としては、会員から提示された二次元コードを認証する際にセンタサーバ１００と通信を行う必要がないため通信コストを低減できる。また、ネットワーク網自体のトラフィックを軽減できる。
【０１０３】
このように、本発明による情報管理システムの上記各実施形態によれば、会員登録後の各会員の利用状況などを一括して管理すること、及び、その情報に基づいて情報の配信を行うことが可能となる。
【０１０４】
なお、上記各実施形態においては、店舗端末２００や携帯電話端末３００をａ〜ｎの符号を用いて示したが（図１、図４、図６、図９及び図１２）、これらは情報管理システムを構成する店舗端末２００や携帯電話機３００をｎ個に限定するものではない。すなわち、店舗端末２００や携帯電話端末３００は、それぞれ少なくとも一つ備えていればよい。
また、店舗端末２００ａ〜２００ｎや携帯電話端末３００ａ〜３００ｎは、同一の端末で構成されていてもよいし、異なる端末を含んでいても良い。
【０１０５】
また、上記各実施形態は、本発明の好適な実施の一例であり、本発明はこれらに限定されるものではない。
例えば、上記各実施形態では、個人情報ＤＢ１０４、利用履歴情報ＤＢ１０５及び２Ｄコード格納部１０６などをそれぞれ別個に設けているが、これらは一体であっても良いし、センタサーバ１００に外付けされていてもよい。
また、情報管理システムは、コンテンツサーバ４００を必ずしも備えていなくともよい。
あるいは、携帯電話端末３００や店舗端末２００へ配信する情報をセンタサーバ１００が格納していてもよい。例えば、センタサーバ１００に不図示のコンテンツＤＢを設け（または、外付けし）、これに格納されている情報（コンテンツ）を制御部１０１が携帯電話端末３００や店舗端末２００へ配信するようにしてもよい。
【０１０６】
なお、本発明による情報管理システムは、事業者と顧客との商取引に限定されることはなく、例えば、医療機関における患者の通院記録の管理や、教育機関における出席状況の管理などに適用することも可能である。
また、事業者端末が設置される店舗は、無人の店舗や自動販売機などであってもよいし、事業者が移動端末のユーザに対して提供するサービスは、有償・無償のいずれでも良いし、物品の売買に限定されるものではない。例えば、旅行業者がサーバを設置・管理して、ツアー客の移動端末へ所定の形式のユニークな画像データを配信するようにし、ツアー客が旅行業者から配信された画像データを観光スポットなどに設置された事業者端末に読み取らせると、観光スポットやその周辺の情報が移動端末に配信されるようにしてもよい。また、スタンプラリーを行う際に、主催者が各チェックポイントに事業者端末を配置して、スタンプラリーの参加者の移動端末に所定の形式のユニークな画像データを配信するようにし、各チェックポイントにおいて、スタンプラリーの主催者から配信された画像データを参加者が事業者端末に読み取らせるようにしてもよい。
あるいは、個人情報や利用情報のデータ構造、個人情報及び利用情報を用いた情報の検索方法などは、上記各実施形態において示した例に限定されることはない。
さらに、会員の認証に用いる情報は二次元コードに限定されることはなく、各会員ごとに設定されるユニークな画像であればどのような形式であってもかまわない。
このように、本発明は様々な変形が可能である。
【０１０７】
【発明の効果】
以上の説明により明らかなように、本発明によれば、会員登録後の各会員の利用状況などを一括して管理すること、及びその情報に基づいて情報の配信を行うことができる情報管理システムを提供できる。
すなわち、サーバで一括して管理される最新の情報を用いて情報を配信することができる。
【図面の簡単な説明】
【図１】  本発明を好適に実施した第１の実施形態による情報管理システムを示す図である。
【図２】  第１の実施形態による情報管理システムの動作シーケンスを示す図である。
【図３】  センタサーバに蓄積される個人情報及び利用情報のデータ構造例を示す図である。
【図４】  本発明を好適に実施した第２の実施形態による情報管理システムを示す図である。
【図５】  第２の実施形態による情報管理システムの動作シーケンスを示す図である。
【図６】  本発明を好適に実施した第３の実施形態による情報管理システムを示す図である。
【図７】  第３の実施形態による情報管理システムの動作シーケンスを示す図である。
【図８】  センタサーバに蓄積される利用情報のデータ構造例を示す図である。
【図９】  本発明を好適に実施した第４の実施形態による情報管理システムを示す図である。
【図１０】  第４の実施形態による情報管理システムの動作シーケンスを示す図である。
【図１１】  事業者用の二次元コードと位置情報の二次元コードとの表示例を示す図である。
【図１２】  本発明を好適に実施した第５の実施形態による情報管理システムを示す図である。
【図１３】  第５の実施形態による情報管理システムの動作シーケンスを示す図である。
【図１４】  センタサーバに蓄積される個人情報のデータ構造の一例を示す図である。
【図１５】  本発明を好適に実施した第６の実施形態による情報管理システムの動作シーケンスを示す図である。
【図１６】  本発明を好適に実施した第８の実施形態による情報管理システムにおいて、センタサーバに蓄積される個人情報のデータ構造例を示す図である。
【図１７】  本発明を好適に実施した第９の実施形態による情報管理システムの動作シーケンスを示す図である。
【図１８】  店舗コード用二次元コードと会員コード二次元コードとの表示例を示す図である。
【符号の説明】
１００  センタサーバ
１０１、２０１、３０１  制御部
１０２、２０３、３０２  通信部
１０３、２０７、３０５  ２Ｄコード格納部
１０４  個人情報ＤＢ
１０５  利用履歴情報ＤＢ
２００  店舗端末
２０２  入力部
２０４  ２Ｄコード読み取り部
２０５、３０４  表示部
２０６、３０６  ＧＰＳ機能部
３００  携帯電話端末
３０３  操作部
４００  コンテンツサーバ
【図１】
0003674596.tif 000002
【図２】
0003674596.tif 000003
【図３】
0003674596.tif 000004
【図４】
0003674596.tif 000005
【図５】
0003674596.tif 000006
【図６】
0003674596.tif 000007
【図７】
0003674596.tif 000008
【図８】
0003674596.tif 000009
【図９】
0003674596.tif 000010
【図１０】
0003674596.tif 000011
【図１１】
0003674596.tif 000012
【図１２】
0003674596.tif 000013
【図１３】
0003674596.tif 000014
【図１４】
0003674596.tif 000015
【図１５】
0003674596.tif 000016
【図１６】
0003674596.tif 000017
【図１７】
0003674596.tif 000018
【図１８】
0003674596.tif 000019